(57)【要約】【課題】所望の放送番組やデータ・コンテンツの予約記録設定及び記録を自動的に行い、装置に所望のジャンルの放送番組やデータ・コンテンツが常時蓄積された状態となるコンテンツ記録装置を提供することである。【解決手段】所望の放送番組やデータ・コンテンツを選択するための嗜好情報を含んだ設定情報を設定するデータ設定手段、設定情報に含まれている嗜好情報に基づいて専用の記録エリアを設定する記録エリア設定手段、設定情報に含まれている嗜好情報に基づいて所望の放送番組やデータ・コンテンツに対応する番組情報データを選択するコンテンツ選択手段、番組情報データから放送番組やデータ・コンテンツの予約記録の設定を行う予約設定手段、予約記録の設定に従って所定の放送番組やデータ・コンテンツを取得するコンテンツ取得手段、取得した放送番組やデータ・コンテンツを記録エリア設定手段で設定した専用の記録エリアに記録するコンテンツ記録手段、放送番組やデータ・コンテンツの記録及び再生に関する履歴データを記憶する履歴データ記憶手段とを備える。【選択図】　図３
2004072396.tif 000002
【特許請求の範囲】
【請求項１】
放送番組並びにデータ・コンテンツを予約記録して蓄積できるコンテンツ記録装置であって、
所望の放送番組やデータ・コンテンツを選択するための嗜好情報を含んだ設定情報を設定するデータ設定手段と、
前記データ設定手段で設定する設定情報に含まれている嗜好情報に基づいて専用の記録エリアを設定する記録エリア設定手段と、
前記データ設定手段で設定する設定情報に含まれている嗜好情報に基づいて所望の放送番組やデータ・コンテンツに対応する番組情報データを選択するコンテンツ選択手段と、
前記コンテンツ選択手段で選択された番組情報データから放送番組やデータ・コンテンツの予約記録の設定を行う予約設定手段と、
前記予約設定手段による予約記録の設定に従って所定の放送番組やデータ・コンテンツを取得するコンテンツ取得手段と、
前記コンテンツ取得手段で取得した放送番組やデータ・コンテンツを前記記録エリア設定手段で設定した専用の記録エリアに記録するコンテンツ記録手段と、
前記放送番組やデータ・コンテンツの記録及び再生に関する履歴データを記憶する履歴データ記憶手段と、
を備えていること
を特徴とするコンテンツ記録装置。
【請求項２】
前記記録エリア設定手段は、前記嗜好情報に基づいて前記放送番組やデータ・コンテンツを所定のカテゴリに分類した属性情報を選択し、該属性情報に従って記録エリアの設定を行うこと
を特徴とする請求項１に記載のコンテンツ記録装置。
【請求項３】
前記記録エリア設定手段は、前記専用の記録エリアに記録する放送番組やデータ・コンテンツの個数に基づいて該記録エリアの記録容量を設定すること
を特徴とする請求項１に記載のコンテンツ記録装置。
【請求項４】
前記記録エリア設定手段は、前記専用の記録エリアに記録する放送番組やデータ・コンテンツの記録時間の合計値に基づいて該記録エリアの記録容量を設定すること
を特徴とする請求項１に記載のコンテンツ記録装置。
【請求項５】
前記予約設定手段は、前記コンテンツ選択手段で選択された番組情報データと前記履歴データ記憶手段に記憶してある履歴データに基づいて予約記録の設定を行うこと
を特徴とする請求項１に記載のコンテンツ記録装置。
【請求項６】
前記予約設定手段は、前記コンテンツ選択手段で選択した番組情報データに対応する放送番組やデータ・コンテンツが専用の記録エリアに記録できないと判定すると、全記録エリアの中から記録可能な別の記録エリアを選択し、該放送番組やデータ・コンテンツの記録エリアに指定して予約記録の設定を行うこと
を特徴とする請求項１に記載のコンテンツ記録装置。
【請求項７】
前記予約設定手段は、前記記録可能な別の記録エリアが存在しないと判定すると、全記録エリアの中から消去可能な放送番組又はデータ・コンテンツを選択し、該消去可能な放送番組又はデータ・コンテンツが記録されている記録エリアを前記コンテンツ選択手段で選択した番組情報データに対応する放送番組やデータ・コンテンツの記録エリアに指定して予約記録の設定を行うこと
を特徴とする請求項６に記載のコンテンツ記録装置。
【請求項８】
前記嗜好情報は、記録不要な放送番組やデータ・コンテンツを選択するための情報を含んでいること
を特徴とする請求項１に記載のコンテンツ記録装置。
【発明の詳細な説明】
【０００１】
【発明の属する技術分野】
本発明は、コンテンツ記録装置に関する。詳しくは、所望のジャンルの放送番組やデータ・コンテンツを自動記録して蓄積できるコンテンツ記録装置に関する。
【０００２】
【従来の技術】
従来技術において、放送番組などを録画予約する場合、好みの放送番組が放送されいるか否かを放送番組表で調べた後、放送されるチャンネル、放送時間、録画モードなどを記録装置に設定することにより録画予約を行っている。
【０００３】
また、最近では、ＥＰＧ（Ｅｌｅｃｔｒｏｎｉｃ　Ｐｒｏｇｒａｍ　Ｇｕｉｄｅ；電子番組ガイド）と呼ばれ、放送番組やデータ・コンテンツの送出予定日時、ジャンル、内容などの情報を含んだ放送番組表データを電波（放送波）の隙間を利用して送出したり、インターネットによってダウンロード可能な状態で提供しており、このＥＰＧデータの中から所望の放送番組やデータ・コンテンツのＥＰＧデータを選択することにより録画予約ができる記録装置なども存在している。
【０００４】
【発明が解決しようとする課題】
しかしながら、放送番組やデータ・コンテンツを録画予約する場合は、放送番組表やＥＰＧデータを調べて好みの放送番組を探し、記録装置に対してその放送番組の放送チャンネル、放送時間、録画モードなど予約設定に必要な情報を直接入力するか、ＥＰＧデータを指定する操作を行わなければならないため、予約設定操作に手間がかかり、また、予約設定を間違えたり、予約設定を忘れてしまうなどというような問題もある。
【０００５】
また、従来の録画予約では、指定した放送番組のみが録画されるので、今後デジタル放送などにおいて多チャンネル化が進むと、録画したい放送番組を全てチェックするのは困難であり、好みの放送番組の録画を逃してしまうというような問題がある。
【０００６】
そこで、予めジャンルを指定することによって所望の放送番組やデータ・コンテンツを自動録画して蓄積しておき、一定期間が経過すると、記録日時の古い放送番組から順次消去していく記録装置もある。
【０００７】
しかしながら、このような記録装置では、予めジャンルなどを調べて設定しなければならず、また、記録日時の古い放送番組から順次消去していくので、蓄積してある放送番組（やデータ・コンテンツ）の中から放送番組（やデータ・コンテンツ）を選択するときに、所望のジャンルの放送番組（やデータ・コンテンツ）が蓄積されていないことがあり、希望するジャンルの放送番組を好きなときに視聴することができないという不都合な点を有している。
【０００８】
従って、所望の放送番組やデータ・コンテンツの予約記録設定及び記録を自動的に行い、所望のジャンルの放送番組やデータ・コンテンツが常時装置に蓄積されているようにすること、に解決しなければならない課題を有する。
【０００９】
【課題を解決するための手段】
前記課題を解決するため、本発明に係るコンテンツ記録装置は次のような構成にすることである。
【００１０】
（１）放送番組並びにデータ・コンテンツを予約記録して蓄積できるコンテンツ記録装置であって、所望の放送番組やデータ・コンテンツを選択するための嗜好情報を含んだ設定情報を設定するデータ設定手段と、前記データ設定手段で設定する設定情報に含まれている嗜好情報に基づいて専用の記録エリアを設定する記録エリア設定手段と、前記データ設定手段で設定する設定情報に含まれている嗜好情報に基づいて所望の放送番組やデータ・コンテンツに対応する番組情報データを選択するコンテンツ選択手段と、前記コンテンツ選択手段で選択された番組情報データから放送番組やデータ・コンテンツの予約記録の設定を行う予約設定手段と、前記予約設定手段による予約記録の設定に従って所定の放送番組やデータ・コンテンツを取得するコンテンツ取得手段と、前記コンテンツ取得手段で取得した放送番組やデータ・コンテンツを前記記録エリア設定手段で設定した専用の記録エリアに記録するコンテンツ記録手段と、前記放送番組やデータ・コンテンツの記録及び再生に関する履歴データを記憶する履歴データ記憶手段と、を備えていることを特徴とするコンテンツ記録装置。
（２）前記記録エリア設定手段は、前記嗜好情報に基づいて前記放送番組やデータ・コンテンツを所定のカテゴリに分類した属性情報を選択し、該属性情報に従って記録エリアの設定を行うことを特徴とする（１）に記載のコンテンツ記録装置。
（３）前記記録エリア設定手段は、前記専用の記録エリアに記録する放送番組やデータ・コンテンツの個数に基づいて該記録エリアの記録容量を設定することを特徴とする（１）に記載のコンテンツ記録装置。
（４）前記記録エリア設定手段は、前記専用の記録エリアに記録する放送番組やデータ・コンテンツの記録時間の合計値に基づいて該記録エリアの記録容量を設定することを特徴とする（１）に記載のコンテンツ記録装置。
（５）前記予約設定手段は、前記コンテンツ選択手段で選択された番組情報データと前記履歴データ記憶手段に記憶してある履歴データに基づいて予約記録の設定を行うことを特徴とする（１）に記載のコンテンツ記録装置。
（６）前記予約設定手段は、前記コンテンツ選択手段で選択した番組情報データに対応する放送番組やデータ・コンテンツが専用の記録エリアに記録できないと判定すると、全記録エリアの中から記録可能な別の記録エリアを選択し、該放送番組やデータ・コンテンツの記録エリアに指定して予約記録の設定を行うことを特徴とする（１）に記載のコンテンツ記録装置。
（７）前記予約設定手段は、前記記録可能な別の記録エリアが存在しないと判定すると、全記録エリアの中から消去可能な放送番組又はデータ・コンテンツを選択し、該消去可能な放送番組又はデータ・コンテンツが記録されている記録エリアを前記コンテンツ選択手段で選択した番組情報データに対応する放送番組やデータ・コンテンツの記録エリアに指定して予約記録の設定を行うことを特徴とする（６）に記載のコンテンツ記録装置。
（８）前記嗜好情報は、記録不要な放送番組やデータ・コンテンツを選択するための情報を含んでいることを特徴とする（１）に記載のコンテンツ記録装置。
【００１１】
このような構成のコンテンツ記録装置において、データ設定手段で所望の放送番組やデータ・コンテンツを選択するための嗜好情報を含んだ設定情報を設定すると、記録エリア設定手段はこの設定情報に含まれている嗜好情報に基づいて放送番組やデータ・コンテンツを記録するための専用の記録エリアを設定し、コンテンツ選択手段が嗜好情報に基づいて所望の放送番組やデータ・コンテンツに対応する番組情報データを選択し、予約設定手段がこの番組情報データに基づいて放送番組やデータ・コンテンツの予約記録設定を行い、コンテンツ取得手段によって所定の放送番組やデータ・コンテンツを取得し、コンテンツ記録手段が専用の記録エリア又は空きの記録エリアに取得したコンテンツを自動的に記録するので、嗜好情報に適った放送番組やデータ・コンテンツを常時装置に記録・蓄積しておくことができる。
【００１２】
【発明の実施の形態】
次に、本発明に係るコンテンツ記録装置の実施形態について図面を参照しながら以下の順に従って説明する。
［１］全体構成の概要
［２］各装置の構成
［３］動作概要
［４］初期設定の手順
［５］予約設定の手順
［６］別の実施形態
但し、図面は専ら解説のためのものであって、本発明の技術的範囲を限定するものではない。
【００１３】
［１］全体構成の概要
図１は、本発明のコンテンツ記録装置を用いた実施形態の一例を略示的に示した図であり、コンテンツ記録システム１０と、番組情報提供システム２０と、コンテンツ提供システム３０とから構成される。
【００１４】
コンテンツ記録システム１０は、コンテンツ送出システム３０から送出される放送番組やデータ・コンテンツ（以下、コンテンツと云う）を受信するコンテンツ受信装置１５０と、受信したコンテンツを記録するコンテンツ記録装置１００とを備えている。なお、コンテンツ記録装置１００にコンテンツ受信装置１５０を内蔵した形式の装置であってもよい。
【００１５】
番組情報提供システム２０は、コンテンツ記録システム１０と通信ネットワーク４０を介して接続可能であり、コンテンツ記録システム１０からの要求によってＥＰＧ（Ｅｌｅｃｔｒｏｎｉｃ　Ｐｒｏｇｒａｍ　Ｇｕｉｄｅ；電子番組ガイド）データなどを送出するＥＰＧサーバ２００を備えている。
【００１６】
コンテンツ提供システム３０は、衛星５０を利用した衛星デジタル放送によって放送番組やデータ・コンテンツを送出するコンテンツ送出装置３００ａ（図１（ａ）参照）や地上波デジタル放送によって放送番組やデータ・コンテンツを送出するコンテンツ送出装置３００ｂ（図１（ｂ）参照）、ＣＡＴＶなどの有線放送などによって放送番組やデータ・コンテンツを送出するコンテンツ送出装置３００ｃ（図１（ｃ）参照）を備えた放送局などが有するコンテンツ提供システムである。
【００１７】
なお、図２に示すように、コンテンツ記録システム１０のコンテンツ受信装置１５０は、複数のコンテンツ提供システム３０から放送番組やデータ・コンテンツを受信できる装置であってもよい。
【００１８】
［２］各装置の構成
続いて、各システム１０〜３０における主要な装置であるコンテンツ記録装置１００、ＥＰＧサーバ２００、コンテンツ送出装置３００ａ／３００ｂ／３００ｃについて説明する。
【００１９】
まず、コンテンツ記録装置１００について説明する。
【００２０】
コンテンツ記録装置１００は、ＥＰＧ（Ｅｌｅｃｔｒｏｎｉｃ　Ｐｒｏｇｒａｍ　Ｇｕｉｄｅ；電子番組ガイド）データを取得し、取得したＥＰＧデータの中から所望のコンテンツのＥＰＧデータを選択し、コンテンツを記録するための予約データを設定し、設定した予約データに従ってコンテンツ送出装置３００から送出される所望のコンテンツを取得して記録する装置である。
【００２１】
図３は、コンテンツ記録装置１００の構成を略示的に示したブロック図の一例であり、コンテンツ受信部１０１、通信部１０２、ＥＰＧ保存部１０３、操作部１０４、コンテンツ記録部１０５、設定情報保存部１０６、予約情報保存部１０７、履歴情報保存部１０８、制御部１０９、表示／出力部１１０などから構成される。
【００２２】
コンテンツ受信部１０１は、ＥＰＧ保存部１０３、コンテンツ記録部１０５、制御部１０９と接続され、制御部１０９に従って、コンテンツ送出装置３００から送出される放送番組などのコンテンツを受信してコンテンツ記録部１０５へ送る。また、コンテンツ送出装置３００から送出されるＥＰＧデータを選択してＥＰＧ保存部１０３へ送る。
【００２３】
また、コンテンツ受信部１０１は、放送番組などのコンテンツを受信するために別体のコンテンツ受信装置１５０を接続することも可能である。
【００２４】
通信部１０２は、ＥＰＧ保存部１０３、制御部１０９と接続され、また、通信ネットワーク４０を介してＥＰＧサーバ２００と接続されている。そして、制御部１０９に従って、ＥＰＧサーバ２００からＥＰＧデータやコンテンツの関連データ（視聴率情報、録画率情報など）などを取得してＥＰＧ保存部１０３に送る。
【００２５】
また、制御部１０９を介して、設定情報保存部１０６に保存した設定データや履歴情報保存部１０８に保存してある履歴データをＥＰＧサーバ２００へ送信したり、ＥＰＧサーバ２００から受信した予約データを予約情報保存部１０７に送ることもできる。
【００２６】
ＥＰＧ保存部１０３は、コンテンツ受信部１０１、通信部１０２、制御部１０９と接続され、制御部１０９に従って、コンテンツ受信部１０１や通信部１０２で取得したＥＰＧデータを記録・保存する。
【００２７】
操作部１０４は、制御部１０９と接続され、図示していないリモートコントローラ（以下、リモコンと云う）や装置の操作パネルなどによって入力された設定情報や装置の動作指示を制御部１０９に送り、制御部１０９を介して装置各部に所定の動作を指示する。
【００２８】
コンテンツ記録部１０５は、コンテンツ受信部１０１、制御部１０９と接続され、制御部１０９に従って、設定情報保存部１０６に記憶・保存される設定データに含まれている嗜好情報に従い、コンテンツを記録するための専用の記録エリア（ジャンル別）を設定し、設定した専用の記録エリアに対して記録容量を割り当てる。そして、コンテンツ受信部１０１で受信したコンテンツを専用の記録エリアに記録・蓄積し、また、指定されたコンテンツを専用の記録エリアから出力したり消去したりする。
【００２９】
設定情報保存部１０６は、制御部１０９と接続され、制御部１０９に従って、コンテンツの予約記録に必要であり、操作部１０４を介して入力される設定情報などに基づいて生成された設定データを記憶・保存し、必要に応じて保存した設定データを制御部１０９に送る。
【００３０】
なお、設定情報として、記録したい（及び記録不要な）コンテンツのジャンルやＥＰＧデータを選択するためのキーワードなどの嗜好情報、記録するコンテンツの個数や記録時間の合計値、専用の記録エリアごとの記録容量、などの情報を入力する。また、コンテンツの受信先情報（放送チャンネルなど）を入力することもできる。
【００３１】
予約情報保存部１０７は、制御部１０９と接続され、制御部１０９に従って、放送番組などのコンテンツを予約記録するために生成された予約データを記憶・保存し、必要に応じて保存した予約データを制御部１０９に送る。
【００３２】
なお、予約データには、記録するコンテンツが送出される送信先情報（放送チャンネルなど）、記録するコンテンツのジャンル（属性情報）、記録開始日時及び記録終了日時、記録エリア、記録モード（例えば、ノーマルモード／高画質モードなど）などの情報が含まれる。
【００３３】
履歴情報保存部１０８は、制御部１０９と接続され、制御部１０９に従って、コンテンツ記録部１０５にコンテンツが記録されたり、コンテンツ記録部１０５に記録されているコンテンツの再生（視聴）が行われると、これらの処理に関する履歴情報に基づいて生成される履歴データを記憶・保存し、必要に応じて保存した履歴データを制御部１０９に送る。
【００３４】
なお、履歴データには、コンテンツ記録部１０５に記録したコンテンツの受信（記録）開始日時及び受信（記録）終了日時、コンテンツが記録されている記録エリア、コンテンツの記録容量、記録モード、コンテンツの再生日時、再生回数（時間）、消去日時などの情報が含まれている。
【００３５】
制御部１０９は、コンテンツ受信部１０１、通信部１０２、ＥＰＧ保存部１０３、操作部１０４、コンテンツ記録部１０５、設定情報保存部１０６、予約情報保存部１０７、履歴情報保存部１０８、表示／出力部１１０と接続され、所定の制御プログラムや操作部１０４を介して入力される装置の動作指示に従い、各部（１０１〜１０８）に動作指示を送り、各部の制御及び装置全体の制御を行う。
【００３６】
例えば、▲１▼操作部１０４を介して入力された設定情報に基づいて設定データを生成し、設定情報保存部１０６に記憶・保存する。▲２▼設定データに含まれている嗜好情報に基づき、コンテンツ記録部１０５にジャンル（属性情報）別の専用の記録エリアを設定する。▲３▼コンテンツ受信部１０１でＥＰＧデータを受信し、ＥＰＧ保存部１０３へ記録・保存する。若しくは、通信部１０２を介してＥＰＧデータを取得し、ＥＰＧ保存部１０３へ記録・保存する。▲４▼設定保存部１０６に記憶してある設定データに基づいて、ＥＰＧ保存部１０３のＥＰＧデータの中から予約記録するコンテンツのＥＰＧデータを選択する。▲５▼選択したＥＰＧデータと、設定データ及び履歴データに基づいて、予約データを生成し、予約情報保存部１０７の予約データを生成し、予約情報保存部１０７に記憶・保存する。
【００３７】
▲６▼予約情報保存部１０７の予約データに基づき、コンテンツ受信部１０１によって所定のコンテンツを受信し、受信したコンテンツをコンテンツ記録部１０５に記録する。また、コンテンツの記録に関する履歴データを更新し、履歴情報保存部１０８に記憶・保存する。▲７▼コンテンツ記録部１０５に記録したコンテンツをコンテンツ表示／出力部１１を介して表示／出力する、即ち、再生処理を行う。また、コンテンツの再生処理に関する履歴データを更新し、履歴情報保存部１０８に記憶・保存する。▲８▼履歴情報保存部１０８に記憶・保存してある履歴データを、通信部１０２を介してＥＰＧサーバ２００などへ送出（出力）する。以上▲１▼〜▲８▼のような処理や動作を実行するために装置内の各部（１０１〜１０８）の制御を行う。
【００３８】
表示／出力部１１０は、制御部１０９と接続され、制御部１０９に従って、ＥＰＧデータや予約データ、設定データ、履歴データやコンテンツの関連データ（視聴率情報、録画率情報など）などを表示したり、コンテンツ記録部１０５に記録されたコンテンツをモニタなどの他装置へ出力したりする。
【００３９】
次に、ＥＰＧサーバ２００について説明する。
【００４０】
ＥＰＧサーバ２００は、コンテンツ送出装置３００から送出されるコンテンツに関する情報（放送チャンネル、放送日時、ジャンル、コンテンツ内容など）が含まれているＥＰＧデータやコンテンツの関連データ（視聴率情報、録画率情報など）をコンテンツ記録装置１００に送出する装置である。
【００４１】
図４は、ＥＰＧサーバ２００の構成を略示的に示したブロック図の一例であり、通信部２０１、ＥＰＧ情報ＤＢ２０２、関連情報ＤＢ２０３、制御部２０４などから構成される。
【００４２】
通信部２０１は、制御部２０４と接続されると共に、各ユーザのコンテンツ記録装置１００とは、通信ネットワーク４０を介して接続可能な状態となっている。
【００４３】
そして、制御部２０４に従って、ＥＰＧ情報ＤＢ２０２に格納されているＥＰＧデータや関連情報ＤＢ２０３に格納されているコンテンツの関連データ（視聴率情報、録画率情報など）を送出する。また、各コンテンツ記録装置１００から履歴データを取得する。
【００４４】
なお、ＥＰＧデータや関連データの送出は、コンテンツ記録装置１００の要求に基づいて送出する、又は、コンテンツ記録装置１００に対して所定の時間ごとに自動的に送出することも可能である。
【００４５】
ＥＰＧ情報ＤＢ２０２は、ＥＰＧデータを格納しており、制御部２０４と接続されている。そして、制御部２０４に従って、格納しているＥＰＧデータを、通信部２０１を介してコンテンツ記録装置１００へ送出する。
【００４６】
ＥＰＧデータは、各放送局から送出される放送番組など、個々のコンテンツに関する情報、例えば、コンテンツ名及び識別コード（ＩＤ）、送出する事業者コード（放送局）、チャンネル番号、送出時間帯、ジャンル、コンテンツ内容などをデータ化し、一覧表形式で表示できる様にしたものである。
【００４７】
例えば、図５に示すように、Ａ［ｃｈ」は「ニュース」、「ドラマ」、「天気情報」、「洋画１」・・・、Ｂ［ｃｈ」は「アニメ１」、「天気情報」、「情報番組」、「アニメ２」、「音楽番組」・・・、Ｃ［ｃｈ」は「ドラマ」、「番組案内」、「邦画」、「情報番組」・・・、Ｄ［ｃｈ」は「番組案内」、「洋画２」、「スポーツ」、「天気情報」・・・というように、放送局Ａ〜Ｄ［ｃｈ］の１９時〜２０時の間に放送される放送番組（コンテンツ）を時系列的に配置した一覧表形式で提供される。なお、これ以外にも、時間別、放送局別、ジャンル別などによって分類された一覧表形式のＥＰＧデータを提供することが可能であることは勿論である。
【００４８】
また、このＥＰＧデータの個々のコンテンツ名を選択することにより、各コンテンツの内容を個別に確認することができる。
【００４９】
例えば、図５の放送局Ａ［ｃｈ］の「洋画１」を選択すると、図６に示すように「コンテンツ提供事業者名」→”Ａ［ｃｈ］：ＡＡＡＡ局”、「ジャンル」→”洋画”、「コンテンツ名」→”映画（再）「ＡＢＣＤ］”、「放送日時」→”２００Ｘ／０６／１８（火）２０：００〜２００Ｘ／０６／１８（火）２２：００”のようにコンテンツの「提供局（事業者名）」、「コンテンツ名」、「ジャンル」、「放送日時」などの予約設定に必要となる情報と、制作日（場所）／時間」→”１９９８年（米）／オリジナル１００分”、「制作情報」→”（監督）：Ｃ．Ｒ／（脚本）：Ｙ．Ｋ／（撮影）：Ｊ．Ｂ／（音楽）：Ｊ．Ｆ／（出演）：Ｈ．Ｈ、Ｄ．Ｄ、Ｑ．Ｒ、Ｍ．Ｄ、Ｒ．Ｓ、Ｒ．Ｌ”、「コンテンツの概要」などのコンテンツの内容に関する詳細情報が表示される。
【００５０】
このようなＥＰＧデータをコンテンツ記録装置１００が取得し、装置に記憶・保存してある設定データに基づいて、取得したＥＰＧデータの中から所定のジャンル（属性情報）のＥＰＧデータを選択し、更に、選択したＥＰＧデータと、設定データ及び履歴データとに基づいて予約データを生成し、コンテンツを記録するための予約設定を行うことができる。
【００５１】
関連情報ＤＢ２０３は、制御部２０４と接続され、コンテンツに関連するデータ、例えば、前回の視聴率情報や録画率情報などの情報であり、コンテンツ記録装置１００が予約データを設定するときのパラメータとなる情報などをデータベース化して格納しており、制御部２０４に従って、格納している関連情報を、通信部２０１を介してコンテンツ記録装置１００へ送出する。
【００５２】
制御部２０４は、通信部２０１、ＥＰＧ情報ＤＢ２０２、関連情報ＤＢ２０３と接続され、各部（２０１〜２０３）の制御及び装置全体の制御を行い、通信部２０７を介し、コンテンツ記録装置１００にＥＰＧデータ、関連データを送出する。又、通信部２０７を介し、コンテンツ記録装置１００から履歴データなどの取得を行う。
【００５３】
続いて、コンテンツ送出装置３００について説明する。
【００５４】
コンテンツ送出装置３００ａ／３００ｂ／３００ｃは、放送番組などのコンテンツを衛星波や地上波などの無線通信、又は、ＣＡＴＶなどの有線通信で送出している放送局などコンテンツを送出する放送事業者が有している装置であり、所定のスケジュールに基づいて衛星波、地上波など所定の伝送方式で放送番組やデータ・コンテンツを送出し、また、電波（放送波）の隙間などを利用してＥＰＧデータ（図５、図６参照）を送出することもできる装置である。
【００５５】
［３］動作概要
次に、上述したコンテンツ記録装置１００の動作概要について図７を参照しながら説明する。
【００５６】
まず、コンテンツ記録装置１００に対し、操作部１０４を介して記録したいコンテンツのジャンルやＥＰＧデータを選択するためのキーワードなどの嗜好情報、コンテンツの記録品質（ノーマル／高品質など）、コンテンツの保存期限、ジャンルやキーワードの優先順位などの設定情報を設定すると、嗜好情報に基づいてコンテンツ記録部１０５にジャンル別の専用の記録エリアを設定し、この設定情報に基づいて設定データが生成され、設定情報保存部１０６に記憶・保存される（ＳＴ１００）。
【００５７】
次に、コンテンツ記録装置１００は、自動操作又は操作部１０４を介した手動操作により、コンテンツ受信部１０１でコンテンツ送出装置３００から送出されているＥＰＧデータを受信する、または、通信部１０２で通信ネットワーク４０を介して接続されているＥＰＧサーバ２００からＥＰＧデータを取得し、取得したＥＰＧデータをＥＰＧ保存部１０３に記憶・保存する（ＳＴ１２０）。
【００５８】
続いて、コンテンツ記録装置１００は、設定情報保存部１０６の設定データ（ジャンルやキーワードなど）に基づき、取得したＥＰＧデータの中から所定（所望）のＥＰＧデータを選択し、この選択したＥＰＧデータと設定データ及び履歴データとに基づいて、コンテンツを予約記録するための予約データを生成して予約情報保存部１０７に記憶・保存する（ＳＴ１３０）。
【００５９】
次に、コンテンツ記録装置１００は、予約データに基づき、コンテンツ受信部１０１でコンテンツ送出装置３００から送出される所望のコンテンツを受信し、コンテンツ記録部１０５の専用の記録エリアに受信したコンテンツを記録し、記録履歴を履歴データとして履歴情報保存部１０８に記憶・保存する（ＳＴ１４０）。
【００６０】
また、コンテンツ記録部１０５に記録したコンテンツの再生が行われると、再生したコンテンツの再生履歴を履歴データとして履歴情報保存部１０８に記憶・保存する（ＳＴ１４０）。
【００６１】
履歴情報保存部１０８に記憶・保存される履歴データは、次回の予約設定のとき、ＥＰＧデータの選択や予約データを生成するときのパラメータ情報として利用されたり、ＥＰＧサーバ２００などの視聴率情報、録画率情報などとして利用される。
【００６２】
そして、再び、自動操作又は手動操作によって最新のＥＰＧデータを取得すると、コンテンツを記録するための予約設定が行われ、予約設定に従ってコンテンツを受信して記録・再生する、という処理・動作を繰り返す（ＳＴ１４０→ＳＴ１１０→ＳＴ１２０→・・・）。
【００６３】
上述の動作を繰り返すことによって、コンテンツ記録装置１００のコンテンツ記録部１０５に設定したジャンル別の専用の記録エリアに所望のコンテンツが記録・蓄積される。
【００６４】
［４］初期設定の手順
続いて、上述したコンテンツ記録装置１００における初期設定の手順について図８及び図９を参照しながら具体的に説明する。
【００６５】
まず、コンテンツ記録装置１００のコンテンツ受信部１０１でコンテンツ送出装置３００から送出されているＥＰＧデータを受信する、または、通信部１０２で通信ネットワーク４０を介して接続されているＥＰＧサーバ２００からＥＰＧデータを取得し、取得したＥＰＧデータをＥＰＧ保存部１０３に記憶・保存する（ＳＴ２００）。
【００６６】
次に、取得したＥＰＧデータに基づいてコンテンツを送出している放送チャンネルなど受信先情報の設定を行う（ＳＴ２１０）。
【００６７】
続いて、操作部１０４を介して記録したいコンテンツのジャンルやＥＰＧデータを選択するためのキーワードなどの嗜好情報、コンテンツの記録品質（ノーマル／高品質など）、コンテンツの保存期限、ジャンルやキーワードの優先順位などの設定情報を設定する（ＳＴ２２０、ＳＴ２３０）。
【００６８】
次に、コンテンツ記録装置１００は、コンテンツ記録部１０５に設定した専用の記録エリアが有する記録容量のチェックを行う（ＳＴ２４０）。
【００６９】
例えば、図９（ａ）のように、コンテンツ記録部１０５における記録可能な全記録容量（＝１００）を検出する。
【００７０】
次に、設定した設定情報に含まれているを嗜好情報に基づいて、コンテンツ記録部１０５をジャンル別に分割（割り当て）した専用の記録エリアであるジャンル別記録エリアを設定する（ＳＴ２５０）。
【００７１】
次に、ジャンル別記録エリアごとに所望のコンテンツ記録容量を設定する（ＳＴ２６０）。
【００７２】
例えば、図９（ｂ）のように、ジャンルが「ニュース」と「天気予報」であるコンテンツは「エリア１」、ジャンルが「スポーツ」であるコンテンツは「エリア２」、ジャンルが「洋画」であるコンテンツは「エリア３」、これらのジャンル以外のジャンルであるコンテンツ（フリー）は「エリア４」というようにジャンルごとに専用の記録エリアを割り当てる。
【００７３】
そして、エリア１には記録容量「１０」、エリア２には記録容量「２０」、エリア３には記録容量「３０」、エリア４には記録容量「３０」というように、全記録容量に対する比率を各記録エリア１〜４に割り当てる。
【００７４】
なお、各記録エリアに対する記録容量の設定は、記録するコンテンツの個数で設定する、又は、ジャンルごとの記録時間の合計値によって設定することもできる。
【００７５】
以上の設定が終了すると、設定した設定情報に基づいて設定データが生成され、生成した設定データを設定情報保存部１０６に記憶・保存する（ＳＴ２７０、ＳＴ２８０）。
【００７６】
このようにコンテンツ記録装置１００の初期設定が完了すると、以降、設定データに含まれる嗜好情報や（及び履歴データ）に基づいてＥＰＧデータの中から所定のＥＰＧデータが選択され、コンテンツを記録するための予約設定が自動的に行われる。
【００７７】
例えば、図９（ｃ）に示すように、エリア３には、ジャンルが「洋画」であるコンテンツＡ、Ｂ、Ｃが順次記録される、というように、専用の記録エリアに所望のジャンルのコンテンツが順次記録されて行く。
【００７８】
なお、複数のジャンルを１つの記録エリアに割り当てることも可能である。また、コンテンツ記録部１０５にジャンル別の専用の記録エリアを設定しないようにすることも可能であり、この場合には、予約設定したコンテンツが順次記録されていくことになる。
【００７９】
［５］予約設定の手順
つぎに、上述したコンテンツ記録装置１００における予約設定の手順について図１０を参照しながら具体的に説明する。
【００８０】
コンテンツ記録装置１００は、コンテンツの記録予約を開始すると、まず、制御部１０９によって履歴情報保存部１０８の履歴データ参照し、コンテンツ記録部１０５に保存期限が経過しているコンテンツが存在しているか否かを確認する（ＳＴ３００）。
【００８１】
保存期限が経過しているコンテンツがあった場合は、該当するコンテンツをコンテンツ記録部１０５から消去（記録領域を解放）する（ＳＴ３０１）。
【００８２】
次に、コンテンツ受信部１０１で受信したり、通信部１０２によって通信ネットワークを介して接続されているＥＰＧサーバ２００から取得し、ＥＰＧ保存部１０３に記憶・保存してあるＥＰＧデータを参照する（ＳＴ３０２）。
【００８３】
次に、設定情報保存部１０６の設定データのジャンル、コンテンツを選択するためのキーワードなどの嗜好情報、コンテンツの記録品質、コンテンツの保存期限、ジャンルやキーワードの優先順位などに基づいて、上述のＥＰＧデータの中から所定のコンテンツのＥＰＧデータを選択する（ＳＴ３０３、ＳＴ３０４）。
【００８４】
なお、ＥＰＧデータを選択した後、確認のための表示を行うようにすることも可能である。
【００８５】
次に、選択したＥＰＧデータの情報から必要となる記録容量を算出し、コンテンツ記録部１０５の該当する専用の記録エリアに必要となる記録容量があるか否かを判別する（ＳＴ３０５、ＳＴ３０６）。
【００８６】
該当する専用の記録エリアに記録可能であれば、選択したＥＰＧデータ及び設定データに基づいて、コンテンツを送出する放送チャンネル（コンテンツ送出装置３００）、コンテンツを識別するコンテンツＩＤ、コンテンツの記録開始日時／記録終了日時、記録容量、記録品質、コンテンツ保存期限などからなる予約データを生成して予約情報保存部１０７に記憶・保存し、予約設定が完了となる（ＳＴ３０７、ＳＴ３０８）。
【００８７】
該当する専用の記録エリアに必要となる記録容量がない場合は、他の記録エリアの空き容量を参照し、記録可能な記録エリアがあるか否かを判別する（ＳＴ３０６→ＳＴ３０９）。
【００８８】
記録可能な記録エリアがある場合は、この記録エリアを予約設定するコンテンツの記録エリアとして予約データを生成して予約情報保存部１０７に記憶・保存し、予約設定が完了となる（ＳＴ３０９→ＳＴ３０７、ＳＴ３０８）。
【００８９】
もし、記録可能な専用の記録エリアがない場合は、設定情報保存部１０６の設定データ、予約情報保存部１０７の他の予約データ、履歴情報保存部１０８の履歴データがそれぞれ有している情報（ジャンル、キーワード、記録品質、保存期限、記録容量、優先順位、履歴情報など）に基づいて、コンテンツ記録部１０５に記録されているコンテンツの中から、消去可能なコンテンツがあるか否かを判別する（ＳＴ３０９→ＳＴ３１０、ＳＴ３１１）。
【００９０】
消去可能なコンテンツがある場合、この記録エリアを予約設定するコンテンツの記録エリアとして予約データを生成して予約情報保存部１０７に記憶・保存し、予約設定が完了となる（ＳＴ３１２、ＳＴ３１３）。
【００９１】
消去可能なコンテンツがない場合、該当コンテンツの予約設定は行わない、又は、予約エラーとして表示／出力部１１０を介して報知する。（ＳＴ３１１→ＳＴ３１４、ＳＴ３１３）。
【００９２】
例えば、図１１（ａ）に示すようにコンテンツ記録部１０５に設定したエリア１〜エリア４には、既にコンテンツがある程度記録されており、エリア３にコンテンツＤの記録を予約設定しようとした場合、空き容量が少ないため、エリア３への予約設定は不可能である。
【００９３】
このときコンテンツ記録装置１００の制御部１０９は、他の記録エリアの空き容量を参照し、記録可能な記録エリアを検索する。
【００９４】
そして、図１１（ｂ）に示すように、「エリア４」に記録可能な空き容量がある場合は、この記録エリアを予約設定するコンテンツの記録エリアとして予約データを生成して予約情報保存部１０７に記憶・保存し、予約設定が完了となり、図１１（ｃ）のように「エリア４」の空き領域にコンテンツＤが記録される。
【００９５】
もし、図１２（ａ）のように、記録可能な空き容量を有する記録エリアがない場合、コンテンツ記録装置１００の制御部１０９は、設定情報保存部１０６の設定データ、予約情報保存部１０７の他の予約データ、履歴情報保存部１０８の履歴データの情報（ジャンル、キーワード、記録品質、保存期限、優先順位、記録容量、履歴情報など）に基づいて、コンテンツ記録部１０５に記録されているコンテンツの中から、消去可能なコンテンツを選択する。
【００９６】
そして、図１２（ｂ）のように「エリア２」に消去可能なコンテンツＥがある場合は、「エリア２」を予約設定するコンテンツの記録エリアとして予約データを生成して予約情報保存部１０７に記憶・保存し、予約設定が完了となり、図１２（ｃ）のようにコンテンツＥを消去（記録領域を解放）して、又は、コンテンツＥが記録してある領域に上書きするようにコンテンツＤが記録される。
【００９７】
もし、消去可能なコンテンツがない場合には、該当コンテンツの予約記録は行わず、予約エラーとして表示／出力部１１０を介して報知する。
【００９８】
なお、予約設定するためのＥＰＧデータを選択して予約データを生成する具体的な方法としては、例えば、選択したＥＰＧデータを設定データに基づいて比較し、ジャンル別記憶エリアでコンテンツを記録可能である場合は＋８０ポイント、設定したキーワードが含まれている場合は＋５０ポイント、記録したくないコンテンツを選択するために設定したキーワードの場合は−５０ポイントとする。
【００９９】
また、選択したＥＰＧデータを履歴データ（再生履歴）に基づいて比較し、「同一タイトル、同一局、同一時間帯のコンテンツを前回視聴したコンテンツ」であるときは＋５０ポイント、「同一タイトル、同一局、同一時間帯のコンテンツを前回、前々回視聴したコンテンツ」であるときは＋１００ポイントとする。
【０１００】
また、コンテンツ記録部１０５に記録済みのコンテンツの履歴データ（記録履歴）に応じて「現時点の時間を基準に、１日（２４時間）遡るごとに、ジャンルが”ニュース・天気情報”であれば−１５ポイント、それ以外のジャンルであれば−１０ポイントとする。
【０１０１】
このように選択したＥＰＧデータを、装置に記憶・保存している設定データ、履歴データ、他の予約データなどに基づいて比較し、比較した結果を所定のポイントに換算し、そのポイントの合計値に基づいて予約データを生成するというような方法で行う。
【０１０２】
［６］別の実施形態
続いて、上述したコンテンツ記録装置を用いた別の実施形態について説明する。
【０１０３】
上述したＥＰＧサーバ２００において、各コンテンツ記録装置１００に記憶・保存されている設定データ、予約データ、履歴データを取得して記録するユーザ情報記録部を設けた場合の実施形態について図１３を参照しながら説明する。尚、上述の［１］〜［５］と同様の箇所はその説明を省略する。
【０１０４】
図１３は、ユーザ情報記録部を備えたＥＰＧサーバ２００Ａの構成を略示的に示したブロック図の一例であり、通信部２０１Ａ、ＥＰＧ情報ＤＢ２０２Ａ、関連情報ＤＢ２０３Ａ、制御部２０４Ａ、ユーザ情報記録部２１０などから構成される。
【０１０５】
通信部２０１Ａは、制御部２０４Ａと接続されると共に、各ユーザのコンテンツ記録装置１００とは、通信ネットワーク４０を介して接続可能な状態となっている。
【０１０６】
そして、制御部２０４Ａに従って、ＥＰＧ情報ＤＢ２０２に格納されているＥＰＧデータや関連情報ＤＢ２０３に格納されているコンテンツの関連データ（視聴率情報、録画率情報など）を送出する。また、各ユーザのコンテンツ記録装置１００から設定データ、予約データ、履歴データを取得し、ユーザ情報記録部２１０に記録・保存し、コンテンツ記録装置１００の要求に応じて生成された予約データの送出を行う。
【０１０７】
なお、ＥＰＧデータや関連データの送出は、コンテンツ記録装置１００の要求に基づいて送出する、又は、コンテンツ記録装置１００に対して所定の時間ごとに自動的に送出することも可能である。
【０１０８】
ＥＰＧ情報ＤＢ２０２Ａは、ＥＰＧデータを格納しており、制御部２０４Ａと接続されている。そして、制御部２０４Ａに従って、格納しているＥＰＧデータを、通信部２０１Ａを介してコンテンツ記録装置１００へ送出する。
【０１０９】
ＥＰＧデータは、上述の説明と同様、各放送局から送出される放送番組など、個々のコンテンツに関する情報、例えば、コンテンツ名及び識別コード（ＩＤ）、送出する事業者コード（放送局）、チャンネル番号、送出時間帯、ジャンル、コンテンツ内容などをデータ化し、一覧表形式で表示できる様にしたものである（図５、図６参照）。
【０１１０】
関連情報ＤＢ２０３Ａは、制御部２０４Ａと接続され、コンテンツに関連するデータ、例えば、前回の視聴率情報や録画率情報などの情報であり、コンテンツ記録装置１００が予約データを設定するときのパラメータとなる情報などをデータベース化して格納しており、制御部２０７Ａに従い、格納している関連情報を、通信部２０１Ａを介してコンテンツ記録装置１００へ送出する。
【０１１１】
制御部２０４Ａは、通信部２０１Ａ、ＥＰＧ情報ＤＢ２０２Ａ、関連情報ＤＢ２０３Ａ、及びユーザ情報記録部２１０と接続され、各部に動作指示を送り、各部の制御及び装置全体の制御を行い、通信部２０１Ａを介し、コンテンツ記録装置１００にＥＰＧデータ、関連データを送出する。
【０１１２】
また、後述するユーザ情報設定部２１０の各データベース（２１１〜２１３）に記録してある各ユーザの設定データ、予約データ、履歴データに基づいて予約データを生成して更新する。そして、各ユーザのコンテンツ記録装置１００から通信ネットワーク４０を介して送られてくるダウンロード要求に応じて最新の予約データを送出する。又は、通信ネットワーク４０を介して定期的に（自動で）各ユーザのコンテンツ記録装置１００に送出する。
【０１１３】
ユーザ情報記録部２１０は、設定情報記録ＤＢ２１１、予約情報記録ＤＢ２１２、履歴情報記録ＤＢ２１３を備えており、通信ネットワーク４０を介して取得した各ユーザの設定データ、予約データ、履歴データを記録する。
【０１１４】
設定情報記録ＤＢ（データベース）２１１は、制御部２０４と接続され、制御部２０４Ａに従って、通信部２１０Ａを介して各ユーザのコンテンツ記録装置１００から取得する設定データを、それぞれ個別のエリアに記憶・保存し、必要に応じて制御部２０４Ａに送る。
【０１１５】
予約情報記録ＤＢ（データベース）２１２は、制御部２０４Ａと接続され、制御部２０４Ａに従って、設定情報記録ＤＢ２１１や履歴情報記録ＤＢ２１３に記憶・保存してある設定データ、履歴データなどに基づいて生成された予約データを各装置の個別のエリアに記憶・保存し、制御部２０４を介して該当するコンテンツ記録装置１００に予約データを送出する。
【０１１６】
履歴情報記録ＤＢ（データベース）２１３は、制御部２０４Ａと接続され、制御部２０４Ａに従って、通信部２１０Ａを介して各ユーザのコンテンツ記録装置１００から取得した履歴データを各装置の個別のエリアに記憶・保存し、必要に応じて制御部２０４に送る。
【０１１７】
続いて、コンテンツ記録装置１００を用いて上述した構成のＥＰＧサーバ２００Ａを利用してコンテンツの予約記録を行う場合の動作について、図１４の概略図を参照しながら説明する。なお、各装置について上述した説明と同様の箇所はその説明を省略する。
【０１１８】
まず、各コンテンツ記録装置１００Ａ／１００Ｂでは、操作部１０４を介してジャンルや所望のコンテンツのＥＰＧデータを選択するためのキーワードなどの嗜好情報、コンテンツの記録品質（ノーマル／高品質など）、コンテンツの保存期限、ジャンルやキーワードの優先順位などの設定情報を設定すると、嗜好情報に基づいてコンテンツ記録部１０５にジャンル別の専用の記録エリアを設定し、この設定情報に基づいて設定データが生成され、設定情報保存部１０６に記憶・保存される。
【０１１９】
次に、各コンテンツ記録装置１００Ａ／１００Ｂは、自動操作又は操作部１０４を介した手動操作により、上述の設定情報保存部１０６に記憶・保存した設定データａ／設定データｂを、通信部１０２を介し、ＥＰＧサーバ２００Ａに対して送出する。
【０１２０】
ＥＰＧサーバ２００Ａは、制御部２０４Ａに従って、通信ネットワーク４０を介して送られてくるコンテンツ記録装置１００Ａ／１００Ｂの設定データａ／設定データｂを通信部２０１Ａで受信すると、ユーザ情報記録部２１０の設定情報記録ＤＢ２１１に、各装置（１００Ａ、１００Ｂ）個別のエリアに記録・保存する。
【０１２１】
次に、ＥＰＧサーバ２００Ａは、設定情報記録ＤＢ２１１の設定データａ／設定データｂ（ジャンルやキーワードなど）に基づき、ＥＰＧ情報ＤＢ２０２ＡのＥＰＧデータの中から所定（所望）のＥＰＧデータを選択し、選択したＥＰＧデータと、設定情報記録ＤＢ２１１、予約情報記録ＤＢ２１２、履歴情報記録ＤＢ２１３に記録・保存してある各装置の設定データ、他の予約データ、履歴データとに基づいて予約データを生成し、予約情報記録ＤＢ２１２に各装置（１００Ａ、１００Ｂ）個別のエリアに記憶・保存する。
【０１２２】
次に、ＥＰＧサーバ２００Ａは、コンテンツ記録装置１００Ａ／１００Ｂから通信ネットワーク４０を介して送られてくるダウンロード要求に応じて予約情報記録ＤＢ２１２に記録した予約データａ／予約データｂを送出する。又は、定期的に（自動で）予約データａ／予約データｂを送出する。また、履歴データａ／履歴データｂなども併せて送出するようにしてもよい。
【０１２３】
コンテンツ記録装置１００Ａ／１００Ｂは、ＥＰＧサーバ２００Ａから通信ネットワーク４０を介して送られてくる最新の予約データａ／予約データｂを各装置の通信部１０２で受信すると、受信した予約データａ／予約データｂを各装置の予約情報保存部１０７に記憶、保存する。
【０１２４】
また、コンテンツ記録装置１００Ａ／１００Ｂは、履歴データａ／履歴データｂなどに基づいて保存期限が経過したコンテンツがある場合には各装置のコンテンツ記録部１０５から該当するコンテンツを消去（記録領域を解放）する。
【０１２５】
そして、コンテンツ記録装置１００Ａ／１００Ｂは、この予約情報保存部１０７に記憶、保存した予約データａ／予約データｂに基づいてコンテンツ送出装置３００から送出される所望のコンテンツを各コンテンツ受信部１０１が受信し、各装置のコンテンツ記録部１０５に設定されている専用の記録エリアに受信したコンテンツを記録し、記録履歴を履歴データａ／履歴データｂとして各装置の履歴情報保存部１０８に記憶・保存する。
【０１２６】
また、各装置のコンテンツ記録部１０５に記録したコンテンツの再生が行われると、再生したコンテンツの再生履歴を履歴データとして各履歴情報保存部１０８に記憶・保存する。
【０１２７】
コンテンツ記録装置１００Ａ／１００Ｂの履歴情報保存部１０８に記憶・保存される履歴データａ／履歴データｂは、定期的にＥＰＧサーバ２００Ａに送出される。
【０１２８】
ＥＰＧサーバ２００Ａは、コンテンツ記録装置１００Ａ／１００Ｂから通信ネットワーク４０を介して送られてくる履歴データａ／履歴データｂをユーザ情報記録ＤＢ２１０の履歴情報記録ＤＢ２１３に記録し、次回の予約データを生成するときのパラメータ情報として利用したり、視聴率情報、録画率情報などとして利用される。
【０１２９】
このように、ＥＰＧサーバ２００Ａは、定期的にユーザ情報記録部２１０の各データベース（ＤＢ）２１１〜２１３を参照し、設定データ、予約データ、履歴データの基づいて予約データを生成して更新しておき、定期的、又は、コンテンツ記録装置１００Ａ／１００Ｂからのダウンロード要求に応じて、最新の予約データａ／予約データｂを送出する。
【０１３０】
そして、ＥＰＧサーバ２００Ａからの最新の予約データａ／予約データｂを受信した各ユーザのコンテンツ記録装置１００Ａ／１００Ｂ（の予約情報保存部１０７）には、所定のコンテンツの予約データａ／予約データｂが自動的に設定され、所望のジャンルのコンテンツがコンテンツ記録装置１００のコンテンツ記録部１０５に記録されることになる。
【０１３１】
【発明の効果】
以上説明したコンテンツ記録装置により、所望のコンテンツ（放送番組やデータ・コンテンツ）を選択するための嗜好情報を含んだ設定情報を一度設定すると、取得したＥＰＧデータの中から所望のコンテンツに該当するＥＰＧデータを自動的に選択し、選択したＥＰＧデータに基づいて自動的に予約記録設定が行われるので、以後の予約設定操作が不要になり、予約設定の間違いや予約設定を忘れてしまい、所望のコンテンツの記録を逃してしまうというようなことがなくなる。
【０１３２】
また、この設定情報に含まれる嗜好情報に基づいてジャンル別の専用の記録エリアが装置のコンテンツ記録部に設定され、予約設定に従って取得したコンテンツを専用の記録エリアに記録・蓄積するので、所望のジャンルのコンテンツが常にそれぞれの専用の記録エリアに蓄積されている状態となり、好きな時に希望するジャンルの放送番組を視聴することができるようになるという優れた効果を奏する。
【０１３３】
また、専用の記録エリアに記録されるコンテンツは、記録容量、ジャンルやキーワードの優先度順位、コンテンツの保存期限などの情報に基づいて適宜消去される（記録領域を解放する）ので、常に最新のコンテンツが装置に蓄積された状態となり、好きな時に希望するジャンルで、且つ、最新のコンテンツを視聴することができるというメリットがある。
【図面の簡単な説明】
【図１】本発明に係るコンテンツ記録装置を用いて放送番組並びにデータ・コンテンツを予約記録する場合の構成を略示的に示した説明図である。
【図２】本発明に係るコンテンツ記録装置を用いて放送番組並びにデータ・コンテンツを予約記録する場合の構成を略示的に示した説明図である。
【図３】本発明に係るコンテンツ記録装置の内部構成を略示的に示したブロック図である。
【図４】本発明に係るコンテンツ記録装置で利用するＥＰＧサーバの内部構成を略示的に示したブロック図である。
【図５】ＥＰＧデータの一例を示した説明図である。
【図６】図５で示したＥＰＧデータの中から所望のＥＰＧデータを選択した場合の一例を示した説明図である。
【図７】図３で示したコンテンツ記録装置における動作フローの概要を示すフローチャートである。
【図８】図３で示したコンテンツ記録装置における初期設定の手順を示すフローチャートである。
【図９】図３で示したコンテンツ記録装置におけるジャンル別記録エリアの様子を略示的に示した説明図である。
【図１０】図３で示したコンテンツ記録装置でコンテンツを予約記録する場合の予約設定手順を示すフローチャートである。
【図１１】図１０で示したフローチャートで予約設定が行われた場合のコンテンツ記録装置におけるジャンル別記録エリアの様子を略示的に示した説明図である。
【図１２】図１０で示したフローチャートで予約設定が行われた場合のコンテンツ記録装置におけるジャンル別記録エリアの様子を略示的に示した説明図である。
【図１３】本発明に係るコンテンツ記録装置で利用するＥＰＧサーバにおいて、別のＥＰＧサーバの内部構成を略示的に示したブロック図である。
【図１４】図１３で示したＥＰＧサーバを利用し、放送番組並びにデータ・コンテンツを予約記録する場合の構成及び各データの流れを略示的に示した説明図である。
【符号の説明】
１０；コンテンツ記録システム
２０；番組情報提供システム
３０；コンテンツ提供システム
４０；通信ネットワーク
５０；衛星
１００；コンテンツ記録装置
１５０；コンテンツ受信装置
２００；ＥＰＧサーバ
３００；コンテンツ送出装置
３００ａ／３００ｂ／３００ｃ；コンテンツ送出装置
１０１；コンテンツ受信部
１０２；通信部
１０３；ＥＰＧ保存部
１０４；操作部
１０５；コンテンツ記録部
１０６；設定情報保存部
１０７；予約情報保存部
１０８；履歴情報保存部
１０９；制御部
１１０；表示／出力部
２００；ＥＰＧサーバ
２０１；通信部
２０２；ＥＰＧ情報ＤＢ（データベース）
２０３；関連情報ＤＢ（データベース）
２０４；制御部
２００Ａ；ＥＰＧサーバ
２０１Ａ；通信部
２０２Ａ；ＥＰＧ情報ＤＢ（データベース）
２０３Ａ；関連情報ＤＢ（データベース）
２０４Ａ；制御部
２１０；ユーザ情報記録部
２１１；設定情報ＤＢ（データベース）
２１２；予約情報ＤＢ（データベース）
２１３；履歴情報ＤＢ（データベース）
１００Ａ；コンテンツ記録装置
１００Ｂ；コンテンツ記録装置
【図１】
2004072396.tif 000003
【図２】
2004072396.tif 000004
【図３】
2004072396.tif 000005
【図４】
2004072396.tif 000006
【図５】
2004072396.tif 000007
【図６】
2004072396.tif 000008
【図７】
2004072396.tif 000009
【図８】
2004072396.tif 000010
【図９】
2004072396.tif 000011
【図１０】
2004072396.tif 000012
【図１１】
2004072396.tif 000013
【図１２】
2004072396.tif 000014
【図１３】
2004072396.tif 000015
【図１４】
2004072396.tif 000016